(57)【要約】【課題】容量が大きく、且つ優れた耐湿性を有する積層コンデンサを提供する。【解決手段】第１の端子電極１３は、第２の主面１０ｂ上において第１の引き出し部１１ｃを覆うように設けられており、長さ方向Ｌの外側に向かって薄くなっている。第２の端子電極１４は、第２の主面１０ｂ上において第２の引き出し部１１ｄを覆うように設けられており、長さ方向の外側に向かって薄くなっている。第１の引き出し部１１ｃは、長さ方向において、第１の端子電極１３の最も厚い部分と重なるように設けられている。第２の引き出し部１１ｄは、長さ方向において、第２の端子電極１４の最も厚い部分と重なるように設けられている。第１の有効部１１Ａは、第１の引き出し部１１ｃよりも長さ方向の外側にまで至ると共に、第２の引き出し部１１ｄよりも長さ方向の外側にまで至るように設けられている。【選択図】図５
2014220527.tif 000002
【特許請求の範囲】
【請求項１】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有するコンデンサ本体と、
前記第２の主面の長さ方向における前記第１の端面側の部分と、前記第１の端面と、第１及び第２の側面とに跨がって設けられた第１の端子電極と、
前記第２の主面の長さ方向における前記第２の端面側の部分と、前記第２の端面と、第１及び第２の側面とに跨がって設けられた第２の端子電極と、
前記第２の主面の長さ方向において前記第１の端子電極と前記第２の端子電極との間に位置する部分と、前記第１及び第２の側面のそれぞれとに跨がって設けられた第３の端子電極と、
長さ方向及び厚み方向に沿って延びる第１の内部電極と、
長さ方向及び厚み方向に沿って延び、幅方向において間隔をおいて前記第１の内部電極と対向している第２の内部電極と、
を備え、
前記第２の主面における前記第３の端子電極の長さ方向の寸法は、前記第２の主面における前記第１及び第２の端子電極の長さ方向の寸法より大きく、
前記第１の内部電極は、
前記第２の内部電極と対向している第１の有効部と、
前記第１の有効部から前記第２の主面側に延びており、前記第２の主面の長さ方向における一方側部分に引き出された第１の引き出し部と、
前記第１の有効部から前記第２の主面側に延びており、前記第２の主面の長さ方向における他方側部分に引き出された第２の引き出し部と、
を有し、
前記第１の端子電極は、前記第２の主面上において前記第１の引き出し部を覆うように設けられており、長さ方向の外側に向かって薄くなっており、
前記第２の端子電極は、前記第２の主面上において前記第２の引き出し部を覆うように設けられており、長さ方向の外側に向かって薄くなっており、
をさらに備え、
前記第１の引き出し部は、長さ方向において、前記第１の端子電極の最も厚い部分と重なるように設けられており、
前記第２の引き出し部は、長さ方向において、前記第２の端子電極の最も厚い部分と重なるように設けられており、
前記第１の有効部は、前記第１の引き出し部よりも長さ方向の外側にまで至ると共に、前記第２の引き出し部よりも長さ方向の外側にまで至るように設けられている、積層コンデンサ。
【請求項２】
前記第１の有効部の、前記第１の引き出し部よりも長さ方向の外側に至る部分において、長さ方向と厚み方向が直交する箇所が面取りされており、前記第１の有効部の先端部から、前記第１の引き出し部における前記有効部の先端部側の端部までの長さが４０μｍ〜６０μｍであり、前記第１の有効部の、前記第２の引き出し部よりも長さ方向の外側に至る部分において、長さ方向と厚み方向が直交する箇所が面取りされており、前記第１の有効部の先端部から、前記第２の引き出し部における前記有効部の先端部側の端部までの長さが４０μｍ〜６０μｍである、請求項１に記載の積層コンデンサ。
【請求項３】
前記第２の内部電極は、
前記第１の有効部と対向している第２の有効部と、
前記第２の有効部から前記第２の主面側に延びており、前記第２の主面に引き出された第３の引き出し部と、
を有し、
前記第２の主面上において前記第３の引き出し部を覆うように設けられた第３の端子電極をさらに備える、請求項１又は２に記載の積層コンデンサ。
【請求項４】
前記第１及び第２の端子電極が接地用端子電極を構成しており、前記第３の端子電極が信号端子電極を構成している、請求項１〜３のいずれか一項に記載の積層コンデンサ。
【請求項５】
長さ寸法が２．０ｍｍ〜２．１ｍｍであり、厚み寸法が０．７ｍｍ〜１．０ｍｍであり、幅寸法が１．２ｍｍ〜１．４ｍｍであり、静電容量が４７μＦ〜４８μＦである、請求項１〜４のいずれか一項に記載の積層コンデンサ。
【発明の詳細な説明】
【技術分野】
【０００１】
本発明は、積層コンデンサに関する。
【背景技術】
【０００２】
従来、例えば積層セラミックコンデンサが広く使用されている。例えば、特許文献１には、直方体型の積層セラミックコンデンサが記載されている。特許文献１に記載の積層セラミックコンデンサは、第１及び第２の信号端子電極と、接地用端子電極とを有する。第１及び第２の信号端子電極は、それぞれ、第１の内部電極に接続されており、第１の信号端子電極は、一の主面の長さ方向における一方側端部の上に設けられている。第２の信号端子電極は、一の主面の長さ方向における他方側端部の上に設けられている。接地用端子電極は、第１の内部電極とセラミック部を介して対向している第２の内部電極に接続されている。接地用端子電極は、一の主面の上の部分であって、長さ方向において第１の信号端子電極と第２の信号端子電極との間に位置する部分の上に設けられている。
【先行技術文献】
【特許文献】
【０００３】
【特許文献１】特開２０１３−４６０５２号公報
【発明の概要】
【発明が解決しようとする課題】
【０００４】
特許文献１に記載されたような第１及び第２の信号端子電極並びに接地用端子電極を有する積層コンデンサにおいて、優れた耐湿性を確保しながら容量を大きくしたいという要望がある。
【０００５】
本発明の主な目的は、容量が大きく、且つ優れた耐湿性を有する積層コンデンサを提供することにある。
【課題を解決するための手段】
【０００６】
本発明に係る積層コンデンサは、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有するコンデンサ本体と、第２の主面の長さ方向における第１の端面側の部分と、第１の端面と、第１及び第２の側面とに跨がって設けられた第１の端子電極と、第２の主面の長さ方向における第２の端面側の部分と、第２の端面と、第１及び第２の側面とに跨がって設けられた第２の端子電極と、第２の主面の長さ方向において第１の端子電極と第２の端子電極との間に位置する部分と、第１及び第２の側面のそれぞれとに跨がって設けられた第３の端子電極と、長さ方向及び厚み方向に沿って延びる第１の内部電極と、長さ方向及び厚み方向に沿って延び、幅方向において間隔をおいて第１の内部電極と対向している第２の内部電極とを備える。第２の主面における第３の端子電極の長さ方向の寸法は、第２の主面における第１及び第２の端子電極の長さ方向の寸法より大きい。第１の内部電極は、第２の内部電極と対向している第１の有効部と、第１の有効部から第２の主面側に延びており、第２の主面の長さ方向における一方側部分に引き出された第１の引き出し部と、第１の有効部から第２の主面側に延びており、第２の主面の長さ方向における他方側部分に引き出された第２の引き出し部とを有する。第１の端子電極は、第２の主面上において第１の引き出し部を覆うように設けられており、長さ方向の外側に向かって薄くなっている。第２の端子電極は、第２の主面上において第２の引き出し部を覆うように設けられており、長さ方向の外側に向かって薄くなっている。第１の引き出し部は、長さ方向において、第１の端子電極の最も厚い部分と重なるように設けられている。第２の引き出し部は、長さ方向において、第２の端子電極の最も厚い部分と重なるように設けられている。第１の有効部は、第１の引き出し部よりも長さ方向の外側にまで至ると共に、第２の引き出し部よりも長さ方向の外側にまで至るように設けられている。
【０００７】
本発明に係る積層コンデンサでは、第１の有効部の、第１の引き出し部よりも長さ方向の外側に至る部分において、長さ方向と厚み方向が直交する箇所が面取りされており、第１の有効部の先端部から、第１の引き出し部における有効部の先端部側の端部までの長さが４０μｍ〜６０μｍであり、第１の有効部の、第２の引き出し部よりも長さ方向の外側に至る部分において、長さ方向と厚み方向が直交する箇所が面取りされており、第１の有効部の先端部から、第２の引き出し部における有効部の先端部側の端部までの長さが４０μｍ〜６０μｍであることが好ましい。
【０００８】
本発明に係る積層コンデンサでは、第２の内部電極が、第１の有効部と対向している第２の有効部と、第２の有効部から第２の主面側に延びており、第２の主面に引き出された第３の引き出し部とを有し、積層コンデンサが、第２の主面上において第３の引き出し部を覆うように設けられた第３の端子電極をさらに備えていてもよい。  本発明に係る積層コンデンサでは、第１及び第２の端子電極が接地用端子電極を構成しており、第３の端子電極が信号端子電極を構成していてもよい。
【０００９】
本発明に係る積層コンデンサの長さ寸法は、２．０ｍｍ〜２．１ｍｍであってもよい。本発明に係る積層コンデンサの厚み寸法は、０．７ｍｍ〜１．０ｍｍであってもよい。本発明に係る積層コンデンサの幅寸法は、１．２ｍｍ〜１．４ｍｍであってもよい。本発明に係る積層コンデンサの静電容量は、４７μＦ〜４８μＦであってもよい。
【発明の効果】
【００１０】
本発明によれば、容量が大きく、且つ優れた耐湿性を有する積層コンデンサを提供することができる。
【図面の簡単な説明】
【００１１】
【図１】第１の実施形態における積層コンデンサの模式的斜視図である。
【図２】第１の実施形態における積層コンデンサの第２の側面の模式的正面図である。
【図３】第１の実施形態における積層コンデンサの第２の端面の模式的正面図である。
【図４】図２の線ＩＶ−ＩＶにおける模式的断面図である。
【図５】図４の線Ｖ−Ｖにおける模式的断面図である。
【図６】図４の線ＶＩ−ＶＩにおける模式的断面図である。
【図７】第２の実施形態における積層コンデンサの模式的斜視図である。
【図８】第２の実施形態における積層コンデンサの模式的断面図である。
【図９】第２の実施形態における積層コンデンサの模式的断面図である。
【発明を実施するための形態】
【００１２】
以下、本発明を実施した好ましい形態の一例について説明する。但し、下記の実施形態は、単なる例示である。本発明は、下記の実施形態に何ら限定されない。
【００１３】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１４】
図１は、本実施形態における積層コンデンサの模式的斜視図である。図２は、本実施形態における積層コンデンサの第２の側面の模式的正面図である。図３は、本実施形態における積層コンデンサの第２の端面の模式的正面図である。図４は、図２の線ＩＶ−ＩＶにおける模式的断面図である。図５は、図４の線Ｖ−Ｖにおける模式的断面図である。図６は、図４の線ＶＩ−ＶＩにおける模式的断面図である。
【００１５】
図１〜図６に示される積層コンデンサ１の静電容量は、例えば、４７μＦ〜４８μＦであってもよい。積層コンデンサ１は、コンデンサ本体１０を備えている。コンデンサ本体１０は、略直方体状である。コンデンサ本体１０の角部や稜線部は、面取り状に設けられていてもよいし、丸められた形状を有していてもよい。また、主面、側面には、凹凸が設けられていてもよい。
【００１６】
コンデンサ本体１０は、第１及び第２の主面１０ａ、１０ｂと、第１及び第２の側面１０ｃ、１０ｄと、第１及び第２の端面１０ｅ、１０ｆとを有する。第１及び第２の主面１０ａ、１０ｂは、それぞれ、幅方向Ｗと、長さ方向Ｌとに沿って延びている。第１及び第２の側面１０ｃ、１０ｄは、それぞれ、幅方向Ｗと、厚み方向Ｔとに沿って延びている。第１及び第２の端面１０ｅ、１０ｆは、それぞれ、長さ方向Ｌと、厚み方向Ｔとに沿って延びている。長さ方向Ｌは、幅方向Ｗに対して垂直である。厚み方向Ｔは、長さ方向Ｌと幅方向Ｗとのそれぞれに対して垂直である。
【００１７】
積層コンデンサ１の長さ寸法は２．００ｍｍ〜２．１０ｍｍであることが好ましく、厚み寸法は０．７ｍｍ〜１．０ｍｍであることが好ましく、幅寸法は１．２０ｍｍ〜１．４０ｍｍであることが好ましい。
【００１８】
コンデンサ本体１０は、例えば、誘電体セラミックスにより形成することができる。誘電体セラミックスの具体例としては、例えば、ＢａＴｉＯ３、ＣａＴｉＯ３、ＳｒＴｉＯ３、ＣａＺｒＯ３などが挙げられる。コンデンサ本体１０には、積層コンデンサ１に要求される特性に応じて、例えばＭｎ化合物、Ｍｇ化合物、Ｓｉ化合物、Ｆｅ化合物、Ｃｒ化合物、Ｃｏ化合物、Ｎｉ化合物、Ａｌ化合物、Ｖ化合物、希土類化合物などの副成分が適宜添加されていてもよい。
【００１９】
図４に示されるように、コンデンサ本体１０の内部には、複数の第１の内部電極１１と、複数の第２の内部電極１２とが設けられている。第１の内部電極１１と第２の内部電極１２とは、それぞれ、長さ方向Ｌ及び厚み方向Ｔに沿って延びるように設けられている。第１の内部電極１１と第２の内部電極１２とは、幅方向Ｗに沿って交互に間隔を置いて設けられている。幅方向Ｗにおいて隣り合う第１の内部電極１１と第２の内部電極１２とは、セラミック部１０ｇを介して幅方向Ｗにおいて対向している。
【００２０】
図５に示されるように、第１の内部電極１１は、第１及び第２の主面１０ａ、１０ｂのそれぞれに引き出されている。具体的には、第１の内部電極１１は、有効部１１Ａと、引き出し部１１ａ〜１１ｄとを有する。有効部１１Ａは、第２の内部電極１２と幅方向Ｗにおいて対向している。引き出し部１１ａは、有効部１１Ａから第１の主面１０ａ側に延びている。第１の主面１０ａの長さ方向ＬにおけるＬ１側部分に引き出されている。引き出し部１１ｂは、有効部１１Ａから第１の主面１０ａ側に延びている。引き出し部１１ｂは、第１の主面１０ａの長さ方向ＬにおけるＬ２側部分に引き出されている。引き出し部１１ｃは、有効部１１Ａから第２の主面１０ｂ側に延びている。引き出し部１１ｃは、第２の主面１０ｂの長さ方向ＬにおけるＬ１側部分に引き出されている。引き出し部１１ｄは、有効部１１Ａから第２の主面１０ｂ側に延びている。引き出し部１１ｄは、第２の主面１０ｂの長さ方向ＬにおけるＬ２側部分に引き出されている。第１の内部電極１１は、第１及び第２の端面１０ｅ、１０ｆから離間している。すなわち、第１の内部電極１１は、第１及び第２の端面１０ｅ、１０ｆには引き出されていない。
【００２１】
なお、本実施形態では、有効部１１Ａが、「第１の有効部」を構成している。引き出し部１１ｃが、「第１の引き出し部」を構成している。引き出し部１１ｄが「第２の引き出し部」を構成している。
【００２２】
図６に示されるように、第２の内部電極１２は、第１及び第２の主面１０ａ、１０ｂのそれぞれに引き出されている。具体的には、第２の内部電極１２は、有効部１２Ａと、引き出し部１２ａ，１２ｂとを有する。有効部１２Ａは、有効部１１Ａと幅方向Ｗにおいて対向している。引き出し部１２ａは、有効部１２Ａから第１の主面１０ａ側に向かって延びている。引き出し部１２ａは、第１の主面１０ａの長さ方向Ｌにおける中央部に引き出されている。長さ方向Ｌにおいて、引き出し部１２ａは、引き出し部１１ａと引き出し部１１ｂとの間に位置している。引き出し部１２ｂは、有効部１２Ａから第２の主面１０ｂ側に向かって延びている。引き出し部１２ｂは、第２の主面１０ｂの長さ方向Ｌにおける中央部に引き出されている。引き出し部１２ｂは、長さ方向Ｌにおいて、引き出し部１１ｃと引き出し部１１ｄとの間に位置している。引き出し部１２ａ、１２ｂと、引き出し部１１ａ〜１１ｄとは、幅方向Ｗにおいて互いに対向しないように設けられている。第２の内部電極１２は、第１及び第２の端面１０ｅ、１０ｆから離間している。すなわち、第２の内部電極１２は、第１及び第２の端面１０ｅ、１０ｆには引き出されていない。
【００２３】
本実施形態では、有効部１２Ａが、「第２の有効部」を構成している。引き出し部１２ｂが「第３の引き出し部」を構成している。
【００２４】
第１及び第２の内部電極１１，１２は、例えば、Ｎｉ、Ｃｕ，Ａｇ，Ｐｄ，Ａｕ，Ａｇ−Ｐｄ合金などの金属等により構成することができる。
【００２５】
図１，図２、図５及び図６に示されるように、第２の主面１０ｂの上には、接地用端子電極１３，１４と、信号端子電極１５とが設けられている。
【００２６】
図１に示されるように接地用端子電極１３は、第２の主面１０ｂの長さ方向Ｌにおける第１の端面１０ｅ側（Ｌ１側）部分の上に設けられている。接地用端子電極１３は、第２の主面１０ｂの幅方向Ｗにおける一方側端部から他方側端部に跨がって設けられている。接地用端子電極１３は、第２の主面１０ｂの上から、第１及び第２の側面１０ｃ、１０ｄ並びに第１の端面１０ｅのそれぞれの上に跨がるように設けられている。接地用端子電極１３は、第１の側面１０ｃの上に設けられた部分１３ａと、第２の側面１０ｄの上に設けられた部分１３ｂと、第１の端面１０ｅの上に設けられた部分１３ｃとを有する。接地用端子電極１３は、第１の主面１０ａには至っていない。すなわち、部分１３ａ〜１３ｃは、第１の主面１０ａには至っていない。部分１３ａ〜１３ｃの厚み方向Ｔに沿った長さは、コンデンサ本体１０の厚み方向Ｔに沿った長さの１／２未満であることが好ましく、１／３以下であることがより好ましい。
【００２７】
図５に示されるように、接地用端子電極１３は、第１の内部電極１１に接続されている。接地用端子電極１３は、第１の内部電極１１の引き出し部１１ｃを覆っている。接地用端子電極１３のうち、第２の主面１０ｂ上に位置し、引き出し部１１ｃを覆っている部分１３ｄは、長さ方向Ｌの外側（Ｌ１側及びＬ２側のそれぞれ）に向かって薄くなっている。
【００２８】
図１に示されるように、接地用端子電極１４は、第２の主面１０ｂの長さ方向Ｌにおける第２の端面１０ｆ側（Ｌ２側）部分の上に設けられている。接地用端子電極１４は、第２の主面１０ｂの幅方向Ｗにおける一方側端部から他方側端部に跨がって設けられている。接地用端子電極１４は、第２の主面１０ｂの上から、第１及び第２の側面１０ｃ、１０ｄ並びに第２の端面１０ｆのそれぞれの上に跨がるように設けられている。接地用端子電極１４は、第１の側面１０ｃの上に設けられた部分１４ａと、第２の側面１０ｄの上に設けられた部分１４ｂと、第２の端面１０ｆの上に設けられた部分１４ｃとを有する。接地用端子電極１４は、第１の主面１０ａには至っていない。すなわち、部分１４ａ〜１４ｃは、第１の主面１０ａには至っていない。部分１４ａ〜１４ｃの厚み方向Ｔに沿った長さは、コンデンサ本体１０の厚み方向Ｔに沿った長さの１／２未満であることが好ましく、１／３以下であることがより好ましい。
【００２９】
図５に示されるように、接地用端子電極１４は、第１の内部電極１１に接続されている。接地用端子電極１４は、第１の内部電極１１の引き出し部１１ｄを覆っている。接地用端子電極１４のうち、第２の主面１０ｂ上に位置し、引き出し部１１ｄを覆っている部分１４ｄは、長さ方向Ｌの外側（Ｌ１側及びＬ２側のそれぞれ）に向かって薄くなっている。
【００３０】
図１に示されるように、信号端子電極１５は、第２の主面１０ｂの長さ方向Ｌにおいて接地用端子電極１３と接地用端子電極１４との間に位置する部分の上に設けられている。信号端子電極１５は、第２の主面１０ｂの幅方向Ｗにおける一方側端部から他方側端部に跨がって設けられている。信号端子電極１５は、接地用端子電極１３，１４とは離間している。信号端子電極１５は、第２の主面１０ｂの上から、第１及び第２の側面１０ｃ、１０ｄのそれぞれの上に跨がって設けられている。信号端子電極１５は、第１の側面１０ｃの上に位置する部分１５ａと、第２の側面１０ｄの上に位置する部分１５ｂとを有する。信号端子電極１５は、第１の主面１０ａには至っていない。すなわち、部分１５ａ、１５ｂの厚み方向Ｔに沿った長さは、コンデンサ本体１０の厚み方向Ｔに沿った長さの１／２未満であることが好ましく、１／３以下であることがより好ましい。
【００３１】
図６に示されるように、信号端子電極１５は、第２の内部電極１２に接続されている。信号端子電極１５は、第２の内部電極１２の引き出し部１２ｂを覆っている。
【００３２】
本実施形態では、接地用端子電極１３が、「第１の端子電極」を構成している。接地用端子電極１４が「第２の端子電極」を構成している。信号端子電極１５が、「第３の端子電極」を構成している。
【００３３】
第１の主面１０ａの上には、接地用端子電極１６，１７と、信号端子電極１８とが設けられている。
【００３４】
図１に示されるように接地用端子電極１６は、第１の主面１０ａの長さ方向Ｌにおける第１の端面１０ｅ側（Ｌ１側）部分の上に設けられている。接地用端子電極１６は、第１の主面１０ａの幅方向Ｗにおける一方側端部から他方側端部に跨がって設けられている。接地用端子電極１６は、第１の主面１０ａの上から、第１及び第２の側面１０ｃ、１０ｄ並びに第１の端面１０ｅのそれぞれの上に跨がるように設けられている。接地用端子電極１６は、第１の側面１０ｃの上に設けられた部分１６ａと、第２の側面１０ｄの上に設けられた部分１６ｂと、第１の端面１０ｅの上に設けられた部分１６ｃとを有する。接地用端子電極１６は、第２の主面１０ｂには至っていない。すなわち、部分１６ａ〜１６ｃは、第２の主面１０ｂには至っていない。部分１６ａ〜１６ｃの厚み方向Ｔに沿った長さは、コンデンサ本体１０の厚み方向Ｔに沿った長さの１／２未満であることが好ましく、１／３以下であることがより好ましい。
【００３５】
図５に示されるように、接地用端子電極１６は、第１の内部電極１１に接続されている。接地用端子電極１６は、第１の内部電極１１の引き出し部１１ａを覆っている。接地用端子電極１６のうち、第１の主面１０ａ上に位置し、引き出し部１１ａを覆っている部分１６ｄは、長さ方向Ｌの外側（Ｌ１側及びＬ２側のそれぞれ）に向かって薄くなっている。
【００３６】
なお、本発明において、端子電極の厚みは、積層コンデンサの一方の側面を、幅方向の厚みが１／２となるまで研磨し、それにより表れた断面において測定するものとする。
【００３７】
図１に示されるように接地用端子電極１７は、第１の主面１０ａの長さ方向Ｌにおける第２の端面１０ｆ側（Ｌ２側）部分の上に設けられている。接地用端子電極１７は、第１の主面１０ａの幅方向Ｗにおける一方側端部から他方側端部に跨がって設けられている。接地用端子電極１７は、第１の主面１０ａの上から、第１及び第２の側面１０ｃ、１０ｄ並びに第２の端面１０ｆのそれぞれの上に跨がるように設けられている。接地用端子電極１７は、第１の側面１０ｃの上に設けられた部分１７ａと、第２の側面１０ｄの上に設けられた部分１７ｂと、第２の端面１０ｆの上に設けられた部分１７ｃとを有する。接地用端子電極１７は、第２の主面１０ｂには至っていない。すなわち、部分１７ａ〜１７ｃは、第１の主面１０ａには至っていない。部分１７ａ〜１７ｃの厚み方向Ｔに沿った長さは、コンデンサ本体１０の厚み方向Ｔに沿った長さの１／２未満であることが好ましく、１／３以下であることがより好ましい。
【００３８】
図５に示されるように、接地用端子電極１７は、第１の内部電極１１に接続されている。接地用端子電極１７は、第１の内部電極１１の引き出し部１１ｂを覆っている。接地用端子電極１７のうち、第１の主面１０ａ上に位置し、引き出し部１１ｂを覆っている部分１７ｄは、長さ方向Ｌの外側（Ｌ１側及びＬ２側のそれぞれ）に向かって薄くなっている。
【００３９】
図１に示されるように信号端子電極１８は、第１の主面１０ａの長さ方向Ｌにおいて接地用端子電極１６と接地用端子電極１７との間に位置する部分の上に設けられている。信号端子電極１８は、第１の主面１０ａの幅方向Ｗにおける一方側端部から他方側端部に跨がって設けられている。信号端子電極１８は、接地用端子電極１６，１７とは離間している。信号端子電極１８、第１の主面１０ａの上から、第１及び第２の側面１０ｃ、１０ｄのそれぞれの上に跨がって設けられている。信号端子電極１８は、第１の側面１０ｃの上に位置する部分１８ａと、第２の側面１０ｄの上に位置する部分１８ｂとを有する。信号端子電極１８は、第２の主面１０ｂには至っていない。すなわち、部分１８ａ、１８ｂの厚み方向Ｔに沿った長さは、コンデンサ本体１０の厚み方向Ｔに沿った長さの１／２未満であることが好ましく、１／３以下であることがより好ましい。
【００４０】
図６に示されるように、信号端子電極１８は、第２の内部電極１２に接続されている。信号端子電極１８は、第２の内部電極１２の引き出し部１２ａを覆っている。
【００４１】
接地用端子電極１３，１４，１６，１７及び信号端子電極１５，１８のそれぞれは、例えば、Ｎｉ、Ｃｕ，Ａｇ，Ｐｄ，Ａｕ，Ｓｎ，Ｃｒ，Ａｇ−Ｐｄ合金等の適宜の金属等により構成することができる。
【００４２】
積層コンデンサ１では、内部電極１１の引き出し部１１ａ〜１１ｄは、端子電極１３，１４，１６，１７のうち、最も厚く、水分に対するシール性の優れた部分と長さ方向Ｌにおいて重なっている。このため、内部電極１１に水分が侵入しにくい。従って、積層コンデンサ１は、優れた耐湿性を有する。
【００４３】
内部電極１１の引き出し部１１ａ〜１１ｄと、端子電極１３，１４，１６，１７のうち、最も厚く、水分に対するシール性の優れた部分とが長さ方向Ｌにおいて重なるように引き出し部１１ａ〜１１ｄを設けるためには、引き出し部１１ａ〜１１ｄを、ある程度長さ方向Ｌにおける内側に配する必要がある。その場合、特許文献１に記載のように、引き出し部の外側端辺と有効部の外側端辺とが直線状に位置するように内部電極を設けると、内部電極の対向面積が小さくなる。従って、特許文献１に記載のコンデンサにおいて耐湿性を向上しようとすると、大きな容量が確保できないという問題が生じる。
【００４４】
それに対して、積層コンデンサ１では、有効部１１Ａは、引き出し部１１ａ、１１ｃよりも長さ方向Ｌの外側（Ｌ１側）にまで至るように設けられており、かつ、引き出し部１１ｂ、１１ｄよりも長さ方向Ｌの外側（Ｌ２側）にまで至るように設けられている。このため、有効部１１Ａが大面積である。従って、積層コンデンサ１では、第１の内部電極１１と第２の内部電極１２との対向面積が大きい。よって、積層コンデンサ１の容量が大きい。以上のように、積層コンデンサ１は、大きな容量を有し、且つ優れた耐湿性を有している。
【００４５】
具体的には、接地用端子電極１６、１７、信号端子電極１８が設けられたコンデンサ本体１０の長さ寸法が２．００ｍｍ〜２．１０ｍｍ、厚み寸法が０．７ｍｍ〜１．０ｍｍ、幅寸法は１．２０ｍｍ〜１．４０ｍｍのときに４７．０〜４８．０μＦの静電容量を得ることができる。
【００４６】
なお、有効部１１Ａの、引き出し部１１ａ、１１ｃよりも長さ方向の外側に至る部分において、長さ方向Ｌと厚み方向Ｔが直交する箇所が面取りされており、有効部１１ＡのＬ１側の先端部から、引き出し部１１ａ、１１ｃにおけるＬ１側の端部までの長さが４０μｍ〜６０μｍであることが好ましい。有効部１１Ａの、引き出し部１１ｂ、１１ｄよりも長さ方向Ｌの外側に至る部分において、長さ方向Ｌと厚み方向Ｔが直交する箇所が面取りされており、有効部１１ＡのＬ２側の先端部から、引き出し部１１ｂ、１１ｄにおけるＬ１側の端部までの長さが４０μｍ〜６０μｍであることが好ましい。
【００４７】
有効部１１ＡのＬ１側の先端部から、引き出し部１１ａ、１１ｃにおけるＬ１側の端部までの長さと有効部１１ＡのＬ２側の先端部から、引き出し部１１ｂ、１１ｄにおけるＬ１側の端部までの長さは、積層コンデンサ１の第１の側面１０ｃまたは第２の側面１０ｄから積層コンデンサ１の中央部に向かって研磨し、それにより表れた内部電極をＮＩＫＯＮ製のＭＭ−６０にて２０倍の倍率で観察することによって測定することができる。
【００４８】
なお、コンデンサ本体の長さ寸法、厚み寸法、幅寸法は、ミツトヨ製のマイクロメーターＭＤＣ−２５ＭＸを用いて測定することができる。また、静電容量は、アジレントテクノロジー製の測定器ＨＰ４２６８Ａにて１２０Ｈｚ０．５Ｖｒｍｓの条件下で測定することができる。
【００４９】
以下、本発明の好ましい実施形態の他の例について説明する。以下の説明において、上記第１の実施形態と実質的に共通の機能を有する部材を共通の符号で参照し、説明を省略する。
【００５０】
（第２の実施形態）
図７は、第２の実施形態における積層コンデンサの模式的斜視図である。図８は、第２の実施形態における積層コンデンサの模式的断面図である。図９は、第２の実施形態における積層コンデンサの模式的断面図である。
【００５１】
第１の実施形態では、接地用端子電極１３，１４及び信号端子電極１５に加え、第１の主面１０ａ側に接地用端子電極１６，１７及び信号端子電極１８が設けられている例について説明した。但し、本発明は、この構成に限定されない。
【００５２】
例えば、図７〜図９に示すように、端子電極として、接地端子電極１３，１４及び信号端子電極１５の３つの端子電極のみが設けられていてもよい。
【符号の説明】
【００５３】
１  積層コンデンサ
１０  コンデンサ本体
１０ａ  第１の主面
１０ｂ  第２の主面
１０ｃ  第１の側面
１０ｃ  第１の側面
１０ｄ  第２の側面
１０ｅ  第１の端面
１０ｆ  第２の端面
１０ｇ  セラミック部
１１  第１の内部電極
１２  第２の内部電極
１１Ａ，１２Ａ  有効部
１１ａ〜１１ｄ，１２ａ，１２ｂ  引き出し部
１３，１４，１６，１７  接地端子電極
１５，１８  信号端子電極
【図１】
2014220527.tif 000003
【図２】
2014220527.tif 000004
【図３】
2014220527.tif 000005
【図４】
2014220527.tif 000006
【図５】
2014220527.tif 000007
【図６】
2014220527.tif 000008
【図７】
2014220527.tif 000009
【図８】
2014220527.tif 000010
【図９】
2014220527.tif 000011